(57)【要約】【課題】  手差しトレイのような用紙格納部から用紙を給紙する印刷時に、印刷ジョブを投入してから紙無し状態となって用紙格納部に用紙をセットする場合、用紙をセットしたタイミングで用紙サイズとタイプを再度設定する必要があった。【解決手段】  設定画面を表示部に表示し、その設定画面で設定された情報に従って用紙格納部に用紙情報を設定するとともに、その設定された用紙情報を用紙格納部に対応つけて登録する。用紙格納部に用紙が置かれたときに、その用紙格納部に登録されている用紙情報と、設定画面を介して設定される用紙情報とのいずれを、その用紙格納部に設定するかを判定し、設定すると判定された用紙情報を、その用紙格納部に対応つけて登録させる。【選択図】  図１１
2015003476.tif 000002
【特許請求の範囲】
【請求項１】
用紙を格納する用紙格納手段と、
設定画面を表示部に表示し、前記設定画面で設定された情報に従って前記用紙格納手段に用紙情報を設定する設定手段と、
前記設定手段により設定された用紙情報を前記用紙格納手段に対応つけて登録する登録手段と、
前記用紙格納手段に用紙が置かれたときに、前記登録手段により前記用紙格納手段に登録されている用紙情報と、前記設定手段により前記設定画面を介して設定される用紙情報とのいずれを前記用紙格納手段に設定するかを判定する判定手段と、
前記判定手段により設定すると判定された用紙情報を前記用紙格納手段に対応つけて前記登録手段により登録させる制御手段と、
とを有することを特徴とする画像形成装置。
【請求項２】
前記判定手段は、前記登録手段に前記用紙格納手段に対応つけて登録された情報に基づいて判定することを特徴とする請求項１に記載の画像形成装置。
【請求項３】
前記判定手段が、前記設定手段により前記設定画面を介して設定される用紙情報を前記用紙格納手段に設定すると判定した場合に、ジョブで指定された用紙情報を前記表示部に表示してユーザにより確認させるための確認手段を更に有することを特徴とする請求項１又は２に記載の画像形成装置。
【請求項４】
前記確認手段は、前記用紙格納手段で用紙なしが発生することにより前記ジョブが中断している場合に、当該ジョブで指定された用紙情報を前記表示部に表示することを特徴とする請求項３に記載の画像形成装置。
【請求項５】
前記用紙格納手段に用紙が置かれるのは、ジョブの実行中に、前記用紙格納手段で用紙なしを検知した場合であることを特徴とする請求項１乃至４のいずれか１項に記載の画像形成装置。
【請求項６】
予め設定された複数の用紙情報を記憶する記憶手段を更に有し、
前記判定手段が、前記設定手段により前記設定画面を介して設定される用紙情報を前記用紙格納手段に設定すると判定した場合、前記制御手段は、前記記憶手段に記憶されている用紙情報を用いて、前記用紙格納手段に対応つけて前記登録手段により登録させるように制御することを特徴とする請求項１に記載の画像形成装置。
【請求項７】
前記用紙格納手段は、手差しトレイを含むことを特徴とする請求項１乃至６のいずれか１項に記載の画像形成装置。
【請求項８】
用紙を格納する用紙格納部を備えた画像形成装置を制御する制御方法であって、
設定画面を表示部に表示し、前記設定画面で設定された情報に従って前記用紙格納部に用紙情報を設定する設定工程と、
前記設定工程で設定された用紙情報を前記用紙格納部に対応つけて登録する登録工程と、
前記用紙格納部に用紙が置かれたときに、前記登録工程で前記用紙格納部に登録されている用紙情報と、前記設定工程で前記設定画面を介して設定される用紙情報とのいずれを前記用紙格納部に設定するかを判定する判定工程と、
前記判定工程で設定すると判定された用紙情報を前記用紙格納部に対応つけて前記登録工程で登録させる制御工程と、
とを有することを特徴とする画像形成装置の制御方法。
【請求項９】
コンピュータを、請求項１乃至７のいずれか１項に記載の画像形成装置として機能させるためのプログラム。
【発明の詳細な説明】
【技術分野】
【０００１】
本発明は、画像形成装置及びその制御方法、プログラムに関するものである。
【背景技術】
【０００２】
画像形成装置には一つ以上の用紙格納部があり、その中に格納された用紙を一枚ずつ給紙し、その上に画像形成を行う。用紙格納部には用紙を機器内に格納するためのカセット、大量の用紙を格納するためのデッキ、機体内には格納せずに、少量の用紙を簡単にセットできる手差しトレイのような形状が存在する。手差しトレイには、給紙カセットにセットできないような特殊な形状の用紙、用紙種類が設定されている場合が多く、ユーザが手差しトレイに用紙を置く毎に、ユーザに用紙の形状や用紙種類を設定させるのが一般的である。
【０００３】
また、手差しトレイで用紙切れが発生して、ユーザが手差しトレイに用紙を再設定する場合に、手差しのガイド幅検知機構を無視して用紙サイズを誤認し、誤ったサイズの用紙を搬送してしまうのを防止するという技術も知られている（特許文献１参照）。
【先行技術文献】
【特許文献】
【０００４】
【特許文献１】特開２００３−１９２１５８
【発明の概要】
【発明が解決しようとする課題】
【０００５】
手差しトレイのような用紙格納部から用紙を給紙して印刷を行う場合、印刷ジョブを投入してから、紙無し状態になった用紙格納部に用紙をセットする場合が考えられる。このとき、既に用紙サイズや用紙種類を確定している印刷ジョブを実行しているにも拘らず、用紙格納部に用紙を置いたタイミングで用紙サイズと用紙種類を再度設定し直す必要がある。ここで、ユーザは、再び、その用紙格納部のために用紙情報を入力しなければならない。
【０００６】
本発明の目的は、上記従来技術の問題点を解決することにある。
【０００７】
本発明の特徴は、用紙格納手段に用紙が置かれたときに、登録されている用紙情報、或いは、その用紙格納手段に対して用紙情報を設定するための設定画面から設定された用紙情報を、その用紙格納部に設定する技術を提供することにある。
【課題を解決するための手段】
【０００８】
上記目的を達成するために本発明の一態様に係る画像形成装置は以下のような構成を備える。即ち、
用紙を格納する用紙格納手段と、
設定画面を表示部に表示し、前記設定画面で設定された情報に従って前記用紙格納手段に用紙情報を設定する設定手段と、
前記設定手段により設定された用紙情報を前記用紙格納手段に対応つけて登録する登録手段と、
前記用紙格納手段に用紙が置かれたときに、前記登録手段により前記用紙格納手段に登録されている用紙情報と、前記設定手段により前記設定画面を介して設定される用紙情報とのいずれを前記用紙格納手段に設定するかを判定する判定手段と、
前記判定手段により設定すると判定された用紙情報を前記用紙格納手段に対応つけて前記登録手段により登録させる制御手段と、とを有することを特徴とする。
【発明の効果】
【０００９】
本発明によれば、用紙格納手段に用紙が置かれたときに、登録されている用紙情報、或いは、その用紙格納手段に対して用紙情報を設定するための設定画面から設定された用紙情報を、その用紙格納部に設定することができる。
【図面の簡単な説明】
【００１０】
【図１】本発明の実施形態１に係る画像処理装置の一例である多機能周辺機器（ＭＦＰ）の構成を示すブロック図。
【図２】実施形態１に係るコントローラの構成及びコントローラと周辺との接続を説明するブロック図。
【図３】実施形態１に係るＭＦＰの概観図。
【図４】実施形態１に係るＭＦＰの操作部の上面図。
【図５】手差しトレイを上から見た図。
【図６】実施形態１に係るＭＦＰにおける用紙サイズ及び用紙タイプの設定方法を説明する図。
【図７】実施形態１に係るＭＦＰのスキャナを説明する断面図。
【図８】実施形態１に係るＭＦＰのプリンタエンジンの構成を示す図。
【図９】実施形態１に係るＭＦＰの操作部に表示される「よく使う用紙」の設定画面の一例を示す図。
【図１０】本実施形態１における用紙情報の設定処理で各給紙カセット及び手差しトレイに設定された用紙情報をの一例を示す図（Ａ）と、実施形態１の手差しトレイへのデフォルト設定が行われた後の情報の一例を示す図（Ｂ）と、「よく使う用紙の設定」で設定されたデータの一例を示す図（Ｃ）、実施形態２で手差しトレイへのデフォルト設定が行われた後の情報の一例を示す図（Ｄ）。
【図１１】実施形態１に係るＭＦＰにおいて、手差しトレイへ用紙情報を設定する処理を説明するフローチャート。
【図１２】手差しトレイにセットされた用紙を確認するための確認画面の一例を示す図。
【図１３】実施形態１に係るＭＦＰで、手差しの用紙なし中断が発生しているジョブが途中でなくなってしまった場合の処理を説明するフローチャート。
【図１４】実施形態２に係るＭＦＰにおいて、手差しトレイへ用紙情報を設定する処理を説明するフローチャート。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１２】
図１は、本発明の実施形態１に係る画像形成装置の一例である多機能周辺機器（ＭＦＰ：Multi-Function Peripheral）１００の構成を示すブロック図である。
【００１３】
図１において、コントローラ１０１は、ＭＦＰ１００を制御しており、図２に示すハードウェア構成を有している。スキャナ１０２は、コントローラ１０１の制御の下で原稿を読み取って、その原稿の画像に対応する画像データを出力する。プリンタエンジン１０３は、実施形態１ではレーザビームプリンタエンジンであり、コントローラ１０１の制御の下に印刷を行う。プリンタエンジン１０３は更にフィニッシャ１０４に接続されており、フィニッシャ１０４は、プリンタエンジン１０３から排紙された複数の記録媒体（例えば、用紙）をまとめてステイプル（ホッチキス）することができる。尚、フィニッシャ１０４もコントローラ１０１によって制御されている。ネットワーク（イーサネット）インターフェイス１０５は、ネットワーク１０８を介してＰＣ１０７との間で双方向の通信が可能となっている。操作部１０６は、タッチパネル機能を備えた表示部と各種ハードキー等を備えており、コントローラ１０１からの情報に従って画像やメッセージなどを表示するとともにユーザからの指示をコントローラ１０１に伝える。
【００１４】
図２は、実施形態１に係るコントローラ１０１の構成及びコントローラ１０１と周辺との接続を説明するブロック図である。
【００１５】
コントローラ１０１では、ＣＰＵ２０１がバス２０９を介して、メモリ２０２，操作部１０６を構成する表示部２０３及びキーボード２０４、及びＲＯＭ２１０、ディスク２１１とに接続されている。ＣＰＵ２０１が実行する各種プログラム及びデータは、ハードディスクやフロッピーディスク等のディスク２１１に記憶されており、これらプログラムは必要に応じて順次メモリ２０２に読み出されてＣＰＵ２０１の制御の下で実行される。このディスク２１１は、ＭＦＰ１００に着脱可能であってもＭＦＰ１００に内蔵されたものでも良い。更に、このプログラムは、ネットワーク１０８を介して他のＭＦＰやＰＣ等からダウンロードされてディスク２１１に記憶される構成でも良い。またメモリ２０２は、ＤＲＡＭのような不揮発メモリ、ＳＲＡＭのような揮発メモリの双方の機能をそなえていても良いし、揮発メモリの機能をメモリ２０２が受け持ち、不揮発メモリの機能をディスク２１１が受け持つ構成でもよい。またメモリ２０２は、取り外し可能なメモリメディアでも良い。
【００１６】
ＣＰＵ２０１が表示部２０３にデータを出力することにより表示を行い、ＣＰＵ２０１がキーボード２０４もしくはタッチパネル機能を有する表示部２０３からデータを入力することにより、ユーザからの指示を受け取る。入力された情報はメモリ２０２、ディスク２１１のいずれかに転送、蓄積され、様々な処理に使用される。また、バス２０９には、ネットワークインターフェイス１０５が接続されている。ＣＰＵ２０１がインターフェイスからデータを読み込み又は書き込むことによりインターフェイスを使用した通信を行う。
【００１７】
更に、バス２０９には、プリンタエンジン１０３、フィニッシャ１０４、スキャナ１０２が接続されている。ＣＰＵ２０１がこれらのエンジンに対してデータの読み書きを行うことにより、プリントやスキャンなどのエンジン動作を制御したり、各種ステータスを取得することができる。スキャナ１０２もしくはネットワークインターフェイス１０５から取得した画像データを、コントローラ１０１のディスク２１１、メモリ２０２に保存することが可能である。また、取り外し可能なメモリ２０２に予め画像データを蓄積しておき、そのメモリをコントローラ１０１に取り付けることによって取り込むことも可能である。ディスク２１１に蓄積されている画像データは、メモリ２０２に移動もしくはコピーすることが可能で、操作部１０６から指示された内容によって、メモリ２０２の画像データに様々な付加画像（例えばページ番号の数字部分）を合成することができる。尚、スキャナ１０２、プリンタエンジン１０３、フィニッシャ１０４は、ＭＦＰ１００の内部ではなく、ネットワーク上にそれぞれ単体の周辺機器として存在し、それらをＭＦＰ１００のコントローラ１０１が制御するようにしても良い。
【００１８】
図３は、実施形態１に係るＭＦＰ１００の概観図である。
【００１９】
スキャナ１０２は、原稿上の画像を照明し、ＣＣＤラインセンサにより原稿を走査することにより、その原稿の画像を電気的な画像データに変換し、この画像データから、原稿のカラー判定やサイズ判定などを行う。
【００２０】
プリンタエンジン１０３は、画像データに基づいて用紙上に画像を印刷する。そしてフィニッシャ１０４により、その印刷済の用紙にステイプルや製本などの後処理を行って出力する。プリント動作の起動や停止は、ＣＰＵ２０１からの指示によって行われる。３０４は手差しトレイである。ここでプリンタエンジン１０３は、手差しトレイ３０４と複数の給紙段（給紙カセット：用紙格納部）を備えている。
【００２１】
図４は、実施形態１に係るＭＦＰ１００の操作部１０６の上面図である。
【００２２】
表示部２０３は、液晶画面上にタッチパネルシートが貼られており、操作画面及びソフトキーを表示するとともに、表示してあるキーが押されるとその位置情報をＣＰＵ２０１に伝える。スタートキー４０２は原稿画像の読み取り動作を開始する場合などに用いられる。スタートキー４０２中央部には緑と赤の２色ＬＥＤ４０３があり、緑色はスタートキー４０２が使用可能な状態、赤色はスタートキー４０２が使用不可能な状態を示す。ストップキー４０４は稼働中のジョブ動作を止める働きをする。テンキー４０５は、数字と文字のボタン群で構成されており、コピー部数の設定や、ファクシミリ番号などの入力に使用される。ユーザモードキー４０６は機器設定を行う場合等に押下される。
【００２３】
図５（Ａ）（Ｂ）は、ＭＦＰ１００の手差しトレイ３０４を上から見た図である。
【００２４】
図５（Ａ）において、手差しトレイ３０４にはレール５０３上を自由に移動できるガイド５０２があり、これらガイド５０２の位置をセットする用紙サイズに合わせて調整することができる。
【００２５】
図５（Ｂ）の５０５は、Ａ４サイズの用紙を縦方向でセットした場合のガイドの位置を示し、５０６はＡ４サイズの用紙を横方向でセットした場合のガイドの位置を示す。センサ５０４は、手差しトレイ３０４に用紙が置かれたことを検知する。このセンサ５０４上に用紙が置かれると、コントローラ１０１は手差しトレイ３０４に用紙がセットされたことを検知することができる。
【００２６】
図６（Ａ）乃至（Ｈ）は、実施形態１に係るＭＦＰ１００における用紙サイズ及び用紙タイプの設定方法を説明する図である。
【００２７】
手差しトレイ３０４に用紙の情報を設定するには、手差しトレイ３０４に用紙を置くとセンサ５０４で用紙が置かれたことが検知され、図６（Ａ）に示す用紙サイズ設定画面が表示される。この画面から用紙サイズの設定を行うことができる。
【００２８】
定型サイズボタン群６０１は、定型の用紙サイズを設定するためのボタン群で、ユーザが設定したいサイズに対応するボタンを押下することにより、手差しトレイ３０４に用紙サイズを登録することができる。
【００２９】
ユーザ設定ボタン６０２は、ユーザが任意のサイズの用紙を設定したい場合に押下する。ユーザ設定ボタン６０２を押下すると、図６（Ｃ）に示すユーザ設定サイズの入力画面が表示される。図６（Ｃ）において、Ｘボタン６１０は、ユーザが横方向のサイズを設定するときに押下し、数字ボタン群６１２で、ユーザが所望するサイズ（長さ）を設定する。Ｙボタン６１１は、ユーザが縦方向のサイズを設定するときに押下し、数字ボタン群６１２で横方向のサイズ（長さ）を設定する。キャンセルボタン６１３は、ユーザがこの画面での設定をやめたい場合に押下する。キャンセルボタン６１３が押下されると、用紙サイズの設定は行われずに、図６（Ａ）の用紙サイズ設定画面に戻る。ＯＫボタン６１４は、ユーザが縦方向、横方向のサイズの設定を終了した後押下すると、この画面で設定された用紙のサイズが手差しトレイ３０４に設定されて図６（Ａ）の用紙サイズ設定画面に戻る。
【００３０】
図６（Ａ）の封筒ボタン６０３は、封筒サイズを設定する場合に押下される。封筒ボタン６０３が押下されると、図６（Ｄ）の封筒サイズの入力画面が表示される。この画面には、封筒サイズ設定ボタン群６１６があり、ユーザがいずれかのボタンを押下することで封筒のサイズを設定することができる。ここではデフォルトで「長形３号」が選択された状態になっている。このデフォルトは仕向け（仕向けとは、機器を設置する国、地域を示す情報であり、コントローラ１０１のメモリ２０２、ディスク２１１のいずれかに保存されている）によって変化する。日本仕向けでは「長形３号」となり、海外仕向けでは「Com10」がデフォルトになる。キャンセルボタン６１７は、ユーザが、この封筒サイズ入力画面での設定をやめたい場合に押下する。キャンセルボタン６１７が押下されると、設定は行われずに図６（Ａ）の用紙サイズ設定画面に戻る。ＯＫボタン６１８は、ユーザが図６（Ｄ）の画面で封筒サイズを決定した場合に押下する。ＯＫボタン６１８が押下されると、図６（Ｄ）の画面での設定が確定して図６（Ａ）の用紙サイズ設定画面に戻る。
【００３１】
こうして定型サイズもしくはユーザ設定サイズもしくは封筒サイズを設定した後、図６（Ａ）の用紙サイズ設定画面に戻って、次へボタン６０５が押下されると図６（Ｂ）の用紙種類の設定画面が表示される。この画面には用紙タイプ設定ボタン群６０６があり、ユーザは、いずれかのボタンを押下することで用紙のタイプを設定することができる。戻るボタン６０７は、この画面での設定をやめたい場合に押下される。戻るボタン６０７が押下されると、用紙種類の設定は行われずに、図６（Ａ）の画面に戻る。ＯＫボタン６０８は、ユーザが用紙種類の設定が完了したときに押下される。ＯＫボタン６０８が押下されると、用紙種類の設定が完了して画面が閉じられる。更に、他の給紙段の用紙の設定を行いたい場合は、図６（Ｆ）の画面で、カセットの選択操作を行ってカセットを選択して、上述の設定処理を繰り返す。そして設定を行わない場合、ユーザは閉じるボタン６２６を押下すると、図６（Ａ）の用紙サイズ設定画面に戻る。
【００３２】
また図６（Ａ）のよく使う用紙ボタン６０４が押されると図９の画面に遷移し、図９の画面で、プリセットされている用紙サイズの中から、ユーザが所望する用紙サイズを選択して設定することができる。尚、図９の画面は、後述するように、図６（Ｅ）のユーザモードの画面からも遷移することができる。
【００３３】
給紙カセットに用紙情報を設定するには、図６（Ｅ）のユーザモード画面から、カセットのサイズ設定とタイプの設定を行う。操作部１０６のユーザモードキー４０６が押下されると、図６（Ｅ）のユーザモード画面が表示される。この画面から用紙サイズの設定を行うことができる。図６（Ｅ）で、ボタン群６２１中の６２０で示されるボタンの機能内容から、用紙の設定に対応するボタンを押下すると、図６（Ｆ）に示すカセットの用紙設定画面が表示される。この画面にはカセット選択ボタン群６２４があり、任意のカセットを選択することができる。カセット選択ボタン群６２４でいずれかのカセットを選択し、設定ボタン６２５を押下すると図６（Ａ）の用紙サイズ設定画面が表示され、上述の手順を実施することで、その選択したカセットに用紙サイズを設定することができる。
【００３４】
また上述したように、手差しトレイ３０４に用紙がセットされる毎に用紙サイズを設定するのではなく、カセットのように用紙設定を行うには、図６（Ｅ）のユーザモード画面で手差しのデフォルト設定を選択する。即ち、操作部１０６のユーザモードキー４０６が押下されると、図６（Ｅ）に示すユーザモード画面が表示される。この画面で、ユーザが手差しのデフォルト設定のボタン６１９を押下すると図６（Ｇ）に示す手差し用紙のデフォルト設定の登録画面が表示される。
【００３５】
図６（Ｇ）において、ユーザは、手差しのデフォルト設定を常に固定する場合に固定ボタン６２８を押下する。この固定ボタン６２８が押下された状態では、手差しトレイ３０４に用紙をセットする毎に図６（Ａ）の用紙サイズ設定画面が表示されなくなり、用紙情報表示エリア６３０に示される用紙サイズと用紙種類を固定的に設定する。ここで、この設定する用紙サイズと用紙種類を変更する場合は、図６（Ｇ）の画面で登録ボタン６３１を押下する。この登録ボタン６３１が押下されると、図６（Ａ）の用紙サイズ設定画面が表示され、上述の手順を実施することにより、手差しトレイ３０４にデフォルトの用紙サイズ及び用紙種類を設定することができる。
【００３６】
また図６（Ｇ）の「セットする毎に設定」ボタン６２９は、手差しの用紙サイズを固定せずに、前述のように、手差しトレイ３０４に用紙がセットされる度に用紙情報の設定を行う場合に押下される。「セットする毎に設定」ボタン６２９が押下されると、図６（Ｈ）に示す画面に変化する。図６（Ｈ）では、図６（Ｇ）の用紙情報表示エリア６３０の表示が、図６（Ｈ）の「よく使う用紙をデフォルトに設定」の表示エリア６３５のように変化する。こうして手差しトレイ３０４に用紙を設定したときに、後述する図９に示す、「よく使う用紙」の設定画面から設定するか、図６（Ａ）の用紙サイズの設定画面から設定するかを選択することができる。図６（Ｈ）でＯＮボタン６３６が押下されると、よく使う用紙から設定を促す画面がデフォルトになり、ＯＦＦボタン６３７が押下されると、図６（Ａ）の用紙サイズの設定画面がデフォルトになる。
【００３７】
図１０（Ａ）は、本実施形態１における用紙情報の設定処理で各給紙カセット及び手差しトレイに設定された用紙情報の一例を示す図である。
【００３８】
また図１０（Ｂ）は、手差しトレイ３０４へのデフォルト設定が行われた後の情報の一例を示す図である。図１０（Ｂ）では、図６（Ｇ）で固定ボタン６２８が押下されて、手差しトレイの用紙情報が、Ａ４サイズの普通紙に固定的に設定された場合を示している。このデータはコントローラ１０１のメモリ２０２或いはディスク２１１に保存される。
【００３９】
図７は、実施形態１に係るＭＦＰ１００のスキャナ１０２を説明する断面図である。
【００４０】
原稿７０３は原稿トレイ７０２にセットされて露光部７１３に一枚ずつ送られ、原稿７０３を移動しながら原稿７０３の画像が読み取られる。原稿給紙ローラ７０４は分離パッド７０５と対になっていて、原稿７０３を一枚ずつ搬送する。こうして搬送された原稿７０３は、中間ローラ７０６によりスキャナ１０２内に送られ、大ローラ７０８と第１従動ローラ７０９によって搬送され、更に、大ローラ７０８と第２従動ローラ７１０とに挟持されて搬送される。大ローラ７０８と第２従動ローラ７１０により搬送された原稿７０３は、流し読み原稿ガラス７１２と原稿ガイド板７１７との間を通り、ジャンプ台７１８を経由して、大ローラ７０８と第３従動ローラ７１１とにより挟持されて搬送される。大ローラ７０８と第３従動ローラ７１１とにより搬送された原稿７０３は、原稿排紙ローラ対７０７により排出される。尚、原稿７０３は、流し読み原稿ガラス７１２と原稿ガイド板７１７との間では、原稿ガイド板７１７によって流し読みガラス７１２に接触する形で搬送される。
【００４１】
こうして原稿７０３が流し読み原稿ガラス７１２上を通過する際に、流し読み原稿ガラス７１２に接している面が露光部７１３によって露光される。その結果、原稿７０３からの反射光がミラーユニット７１４を介してレンズ７１５を通過して集光され、ＣＣＤセンサ７１６に入射されて電気信号に変換される。こうして得られた画像信号は、コントローラ１０１に入力される。
【００４２】
図８は、実施形態１に係るＭＦＰ１００のプリンタエンジン１０３の構成を示す図である。ここでは、フルカラーのレーザビームプリンタを例に説明する。
【００４３】
感光ドラム８０１は一次帯電気８１１により特定の極性電位に帯電処理され、図示しない露光手段によって、矢印８１２で示す位置が露光される。このようにして第一の色成分に対応した静電潜像が形成される。その後、四つある現像器８０２中の一つの現像器を使用して現像される。中間転写ベルト８０３は矢印方向に搬送駆動され、感光ドラム８０１に形成された第一色成分の画像が、感光ドラム８０１と中間転写ベルト８０３の接合部分を通る過程で一次転写ローラ８１０によって形成された電界によって中間転写ベルト８０３に転写される。こうして中間転写ベルト８０３に転写を終えた感光ドラム８０１の表面は、クリーニング装置８０４によって清掃される。この処理を順次繰り返し、四色の画像を中間転写ベルト８０３で重ね合わせてカラー画像を形成する。尚、単色の画像を形成する場合は一度だけ転写処理を行う。中間転写ベルト８０３に転写された画像は、二次転写ローラ８０９で、カセット８０５より給紙された用紙に印刷される。こうして画像が印刷された用紙は、定着器８０６で加熱され定着される。定着後、８０７を通過し、排紙口８１３まで用紙が搬送されて排出される。尚、両面印刷を行う場合は、片面が印刷された用紙は、反転パス８０８を通って循環され、再び、二次転写ローラ８０９の位置に送られ、今度は、前回印刷済の裏面に画像が印刷される。
【００４４】
図９は、実施形態１に係るＭＦＰ１００の操作部１０６に表示される「よく使う用紙」の設定画面の一例を示す図である。
【００４５】
操作部１０６のユーザモードキー４０６が押下されることにより、図６（Ｅ）に示す画面が操作部１０６の表示部２０３に表示される。図６（Ｅ）の画面で、ボタン群６２１中「よく使う用紙の設定」に対応するボタン６２２が押下されると、図９に示す「よく使う用紙」の設定画面が表示される。この「よく使う用紙」の設定画面には、プリセットボタン９０２があり、これらボタンを使用して、よく使う用紙のサイズや種類を登録することができる。図９の画面は、プリセット１（「Ｐ１  Ａ４」）が選択された状態を示し、情報表示エリア９０３に、用紙サイズ（Ａ４）と用紙種類（普通紙）が表示されている。
【００４６】
図１０（Ｃ）は、本実施形態１に係る「よく使う用紙の設定」で設定されたデータの一例を示す図である。
【００４７】
ここでは図９のプリセットボタン９０２に対応してプリセット１〜プリセット５が記憶されている。ここではプリセット１〜４は設定済で、プリセット５だけが未設定となっている。このプリセットデータは、コントローラ１０１のメモリ２０２或いはディスク２１１に保存される。このデータは、自動的に給紙カセットを選択するときに使用される。
【００４８】
またユーザは、図９の登録ボタン９０４を押下して、プリセットボタン群９０２に用紙サイズと用紙種類を設定するように指示できる。プリセットボタン９０２からいずれかのプリセットボタンを選択して登録ボタン９０４が押下されると、図６（Ａ）に示す用紙サイズの設定画面が表示され、上述の手順を実施することで、用紙サイズ及び用紙種類をプリセットとして設定できる。こうしてよく使う用紙の設定が終了すると、ユーザはＯＫボタン９０５を押下して、その設定を確定させる。
【００４９】
尚、図９に示す「よく使う用紙」の設定画面は、プリセットボタン９０２に用紙情報を登録するほかに、プリセットボタン９０２に登録された内容を手差しトレイ３０４の用紙情報として設定する場合にも表示される。手差しトレイ３０４に対して用紙情報を登録する場合は、図９のその他の用紙ボタン９０６が表示される。ユーザが、このボタン９０６を押下すると、図６（Ａ）に示す用紙サイズの設定画面に切り替わり、プリセットされた用紙情報ではなく、任意の用紙情報を手差しトレイ３０４に設定できる。
【００５０】
図１１は、実施形態１に係るＭＦＰ１００において、手差しトレイ３０４へ用紙情報を設定する処理を説明するフローチャートである。尚、この処理を実行するプログラムはディスク２１１にインストールされており、実行時にメモリ２０２に展開されＣＰＵ２０１の制御の下に実行される。
【００５１】
まずＳ１１０１でＣＰＵ２０１は、センサ５０４により、手差しトレイ３０４に用紙がセットされたか否かを判定する。手差しトレイ３０４に用紙がセットされたと判定した場合はＳ１１０２に進み、ＣＰＵ２０１は、メモリ２０２或いはディスク２１１に記憶されている、手差しトレイのデフォルト設定（図１０（Ｂ）参照）を確認する。Ｓ１１０２でデフォルト設定が「固定」と判定した場合はＳ１１０３に進む。Ｓ１１０３でＣＰＵ２０１は、図１０（Ｂ）に登録されている用紙サイズと用紙種類を、メモリ２０２又はディスク２１１に記憶されている、図１０（Ａ）の手差しのフィールドに設定して処理を終了する。
【００５２】
従って、図１０の例では、手差しトレイ３０４には、用紙サイズがＡ４の普通紙がセットされる。
【００５３】
一方、Ｓ１１０２で、ＣＰＵ２０１は、手差しトレイのデフォルト設定が「セットする毎に設定」であると判定したときはＳ１１０４に進み、ＣＰＵ２０１が手差しトレイが用紙なしとなって処理が中断しているか否かを判定する。この手差しの用紙なし中断とは、手差しトレイ３０４から送られる用紙に、例えばＰＤＬ印刷処理やコピー処理を実行しているときに、手差しトレイ３０４で紙なしが発生した状態を示している。手差しの用紙なし中断が発生している場合はＳ１１０５に進み、ＣＰＵ２０１は、中断しているジョブのデータから、そのジョブが使用する用紙サイズと用紙種類を取得する。次にＳ１１０６に進みＣＰＵ２０１は、図１２に示す手差しトレイの用紙の確認画面を表示部２０３に表示する。
【００５４】
図１２は、手差しトレイにセットされた用紙を確認するための確認画面の一例を示す図である。
【００５５】
この画面の用紙情報エリア１２０１には、Ｓ１１０５でＣＰＵ２０１が取得した、ジョブで使用される用紙情報が表示される。この画面を表示することにより、ユーザに手差しトレイ３０４にセットされた用紙が、そのジョブに実行に適しているかどうかの確認を促すことができる。
【００５６】
次にＳ１１０７でＣＰＵ２０１は、図１２の画面でＯＫボタン１２０或いは用紙変更ボタン１２０３が押下されたかを判定する。ＣＰＵ２０１が、ＯＫボタン１２０２が押下されたと判定した場合はＳ１１０８に処理を進め、ＣＰＵ２０１は、Ｓ１１０５で取得した用紙情報を、図１０（Ａ）の手差しフィールドに設定して登録する。そしてＳ１１０９に進みＣＰＵ２０１は、図１２の手差し用紙セットの確認画面を閉じて、この処理を終了する。
【００５７】
一方、Ｓ１１０７で、ＣＰＵ２０１が、図１２の用紙変更ボタン１２０３が押下されたことを検知した場合、或いはＳ１１０２で、ＣＰＵ２０１が手差しの用紙なし中断が発生していると判定した場合はＳ１１１０に進む。Ｓ１１１０でＣＰＵ２０１は、表示部２０３に図６（Ａ）に示す用紙サイズの設定画面を表示する。ここでユーザは、用紙サイズと用紙種類の設定を行うことになる。こうしてＳ１１１１に進み、ＣＰＵ２０１は、用紙情報の入力が確定したことを確認するとＳ１１０８に進み、ＣＰＵ２０１は、その設定された用紙情報を、図１０（Ａ）の手差しのフィールドに設定して処理を終了する。
【００５８】
このような動作を行うことで、ユーザが手差しトレイに用紙をセットしたタイミングで、操作部１０６に手差しトレイに用紙情報を設定するための画面を表示して、ユーザが手差しトレイの用紙が適しているかどうかを確認できるため利便性が向上する。
【００５９】
図１３は、実施形態１に係るＭＦＰで、手差しの用紙なし中断が発生しているジョブが途中でなくなってしまった場合の処理を説明するフローチャートである。この動作は図１１のＳ１１０６で、用紙セットの確認画面（図１２）が表示されることにより開始される。
【００６０】
まずＳ１３０１でＣＰＵ２０１は、手差しの用紙なし中断を発生させたジョブが動作しているかを判定する。例えば、その中断を発生させたジョブがストップキー４０４によって中止されている、或いは他のジョブの優先度が上がり、中断中のジョブが追い越されるというような場合、用紙なし中断を発生させたジョブが動作していないと判定する。
Ｓ１３０１でＣＰＵ２０１が、用紙なし中断を発生させたジョブが動作していないと判定した場合はＳ１３０２に進み、ＣＰＵ２０１は、図１２に示す手差しトレイの用紙の確認画面を閉じて図１１のＳ１１１０に処理を進める。
【００６１】
この実施形態１では、手差しトレイに設定する用紙情報を、他の給紙カセットの場合と同様に、用紙サイズと用紙種類の設定画面を使用して設定することができる。また手差しトレイに設定された用紙情報を固定とするか、手差しトレイに用紙が置かれたタイミングで用紙が置かれる度に用紙情報を設定するかのいずれかを選択できる。そして固定の場合は、ユーザが手差しトレイに用紙を置いた時に、手差しトレイに対して登録されている用紙サイズ及び用紙種類の用紙情報を手差しトレイに設定する。一方、用紙をセットする毎に設定するように設定されていると、手差しトレイに用紙がないためにジョブが中断しているときは、その中断しているジョブで使用する用紙情報を表示する。これにより、ユーザが手差しトレイに置いた用紙が適切かどうかを、ユーザに確認させることができる。
【００６２】
以上説明したように本実施形態１によれば、手差しトレイ３０４に用紙をセットしたタイミングで、自動的に手差しトレイに用紙情報を設定できる。また或いは、そのタイミングで、手差しトレイに用紙情報を設定或いは確認するための画面に切り替えることが可能となる。これにより、例えば手差しトレイの用紙なし中断が発生している場合に、手差しトレイに用紙情報を設定する手間を大幅に軽減できる。
【００６３】
更に、用紙なしによる中断時に、用紙情報の入力の手間を省く操作画面が表示されているときに、ジョブが実行中以外に変化した場合は、用紙情報を手動で設定する画面に自動的に切り替えることができる。これにより、ユーザが、意図しない用紙情報を登録するといった間違いも防止できる。そのため、ユーザの手間を格段に低減することができる。
【００６４】
［実施形態２］
次に本発明の実施形態２について説明する。尚、実施形態２に係るシステム構成及びＭＦＰの構成等は、前述の実施形態と同じであるため、その説明を省略する。
【００６５】
この実施形態２では、手差しトレイ３０４に用紙をセットしたタイミングで、操作部に表示される操作画面を切り替えることにより、特に手差しトレイでの用紙なしによる中断が発生している場合に、手差しトレイに用紙情報を設定する手間を低減する。
【００６６】
図１４は、実施形態２に係るＭＦＰ１００において、手差しトレイ３０４へ用紙情報を設定する処理を説明するフローチャートである。尚、この処理を実行するプログラムはディスク２１１にインストールされており、実行時にメモリ２０２に展開されＣＰＵ２０１の制御の下に実行される。
【００６７】
まずＳ１４０１でＣＰＵ２０１は、センサ５０４により手差しトレイ３０４に用紙がセットされたか否かを判定する。手差しトレイ３０４に用紙がセットされたと判定した場合はＳ１４０２に処理を進め、ＣＰＵ２０１は、メモリ２０２もしくはディスク２１１に記憶されている手差しのデフォルト設定（図１０（Ｄ））を読み出して判定する。
【００６８】
図１０（Ｄ）は、実施形態２で、手差しトレイ３０４へのデフォルト設定が行われた後の情報の一例を示す図である。ここでは手差しトレイ３０４へのデフォルト設定に、「よく使う設定」で設定された内容を設定するかどうかを指示する項目が追加されている。
【００６９】
ここでＣＰＵ２０１は、「固定」に設定されていると判定した場合はＳ１４０３に進む。ここでは図１１のＳ１１０３と同様に、ＣＰＵ２０１は、図１０（Ｄ）に登録されている用紙サイズと用紙種類を、メモリ２０２もしくはディスク２１１に記憶されている用紙情報（図１０（Ａ））の手差しにフィールドに設定して処理を終了する。
【００７０】
一方、Ｓ１１０２でＣＰＵ２０１が、「セットする毎」が設定されていると判定したときはＳ１４０２に処理を進め、図１０（Ｄ）の「よく使う設定」がオンかオフかを判定する。オンの場合はＳ１４０５に処理を進め、ＣＰＵ２０１は表示部２０３に、図９に示すよく使う用紙の用紙情報の設定画面を表示する。
【００７１】
次にＳ１４０６でＣＰＵ２０１は、図９の画面でプリセットボタン９０２のいずれかが選択された後にＯＫボタン９０５が押されたか、或いはその他の用紙ボタン９０６が押下されたかを判定する。ＯＫボタン９０５が押下されたとＣＰＵ２０１が判定した場合はＳ１４０７に進み、ＣＰＵ２０１は、図９のよく使う用紙画面で選択されたプリセットの用紙情報を、図１０（Ａ）の手差しのフィールドに設定する。そしてＳ１４０８に進み、ＣＰＵ２０１は、図９のよく使う用紙画面を表示部２０３から消して、この処理を終了する。
【００７２】
一方Ｓ１４０６でＣＰＵ２０１が、その他の用紙ボタン９０６が押下されたと判定した場合、或いはＳ１４０４で、図１０（Ｄ）のよく使う設定がオフであると判定した場合はＳ１４０９に処理を進める。Ｓ１４０９でＣＰＵ２０１は、表示部２０３に図６（Ａ）の用紙サイズの設定画面を表示して、ユーザに用紙サイズと用紙種類の設定を行わせる。そしてＳ１４０１でＣＰＵ２０１は、用紙情報の入力が確定したと判定するとＳ１４０７で設定された用紙情報を図１０（Ａ）の手差しのフィールドに設定して、この処理を終了する。
【００７３】
この実施形態２では、手差しトレイに設定する用紙情報を、他の給紙カセットの場合と同様に、用紙サイズと用紙種類の設定画面を使用して設定することができる。また手差しトレイに設定された用紙情報を固定とするか、手差しトレイに用紙が置かれたタイミングで用紙が置かれる度に用紙情報を設定するかのいずれかを選択できる。そして固定の場合は、ユーザが手差しトレイに用紙を置いた時に、手差しトレイに対して登録されている用紙サイズ及び用紙種類の用紙情報を手差しトレイに設定する。また、手差しトレイに設定する用紙情報を、よく使う用紙の用紙情報の設定画面を介して設定できるかどうかを指定できるようにする。
【００７４】
以上説明したように本実施形態２によれば、手差しトレイ３０４に用紙をセットしたタイミングで、手差しトレイに設定される用紙情報を、よく使う用紙の設定画面を使用して設定できる。これにより、例えば手差しトレイの用紙なし中断が発生している場合に、手差しトレイに用紙情報を設定する手間を大幅に軽減できるという効果が得られる。
【００７５】
尚、上記実施形態１，２では、手差しトレイへの用紙情報の設定を例に説明したが本発明はこれに限定されるものでなく、給紙カセットに用紙情報を設定する場合にも適用できる。
【００７６】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2015003476.tif 000003
【図２】
2015003476.tif 000004
【図３】
2015003476.tif 000005
【図４】
2015003476.tif 000006
【図５】
2015003476.tif 000007
【図６】
2015003476.tif 000008
【図７】
2015003476.tif 000009
【図８】
2015003476.tif 000010
【図９】
2015003476.tif 000011
【図１０】
2015003476.tif 000012
【図１１】
2015003476.tif 000013
【図１２】
2015003476.tif 000014
【図１３】
2015003476.tif 000015
【図１４】
2015003476.tif 000016